(57)【特許請求の範囲】
【請求項１】
構造躯体に設けられた無目と、
該無目に複数のファスナーを介して取り付けられた面材を備え、
前記無目は、これを断面視したときに、主壁部と、該主壁部に互いに間隔を空けて一方向に延びるように設けられた第１及び第２の立上り壁部と、該第１及び第２の立上り壁部に、互いに接近する、または離間する方向に延びるように設けられた第１及び第２の突出壁部を備えており、
前記複数のファスナーの各々は、前記無目の主壁部側に当接させる無目取付壁部と、該無目取付壁部に互いに間隔を空けて前記無目の方向に延びるように設けられた第１及び第２の延出壁部と、該第１及び第２の延出壁部に、前記第１及び第２の突出壁部が互いに接近する場合には互いに離間し、前記第１及び第２の突出壁部が互いに離間する場合には互いに接近する方向に延びるように設けられた第１及び第２の係合壁部を備えており、
前記複数のファスナーの各々は、前記第１及び第２の係合壁部の各々が、前記無目の前記第１及び第２の突出壁部の前記主壁部側の面に係合して、前記無目に対し前記無目の長さ方向に相対的に移動可能である、面材取付構造。
【請求項２】
構造躯体に設けられた無目と、
該無目に複数のファスナーを介して取り付けられた面材を備え、
前記無目は、これを断面視したときに、主壁部と、該主壁部に設けられた立上り壁部と、該立上り壁部に、互いに離間する方向に延びるように設けられた第１及び第２の突出壁部を備えており、
前記複数のファスナーの各々は、前記無目の主壁部側に当接させる無目取付壁部と、該無目取付壁部に互いに間隔を空けて前記無目の方向に延びるように設けられた第１及び第２の延出壁部と、該第１及び第２の延出壁部に、互いに接近する方向に延びるように設けられた第１及び第２の係合壁部を備えており、
前記複数のファスナーの各々は、前記第１及び第２の係合壁部の各々が、前記無目の前記第１及び第２の突出壁部の前記主壁部側の面に係合して、前記無目に対し前記無目の長さ方向に相対的に移動可能である、面材取付構造。
【請求項３】
前記複数のファスナーの各々は、一方の側面に前記面材が取り付けられる面材取付壁部を備えており、該面材取付壁部には、前記面材が取り付けられる面と反対側の面に、上下方向に凹凸を繰り返す凹凸部が形成されるとともに、上下方向に延在する長孔が開設されており、
該面材取付壁部の前記反対側の面には、上下方向に凹凸を繰り返す係合凹凸部を備えたワッシャが、前記面材取付壁部の凹凸部と前記係合凹凸部が係合するように連接されており、
前記面材は、前記面材取付壁部の前記長孔と、前記ワッシャに開設されたボルト孔を介して、ボルト・ナットにより、前記面材取付壁部及び前記ワッシャに締結されている、請求項１または２に記載の面材取付構造。
【請求項４】
前記無目の、前記構造躯体側の側面には、上下方向に離間して、前記無目の長さ方向に延在する無目固定溝部が設けられており、
前記無目は、無目取付部材を介して、前記構造躯体に設置された方立間に設置されており、
前記無目取付部材は、頭部が前記上下の各無目固定溝部に係合して取り付けられた複数のボルトによって、前記無目に固定されている、請求項１から３のいずれか一項に記載の面材取付構造。
【請求項５】
前記無目は、前記構造躯体に設置された方立間に設置されており、
前記方立は、前記面材に対して垂直な方向に湾曲する曲面形状を有している、請求項１から４のいずれか一項に記載の面材取付構造。
【発明の詳細な説明】
【技術分野】
【０００１】
本発明は、面材取付構造に関するものである。
【背景技術】
【０００２】
一般に中高層建築物の施工においては、構造躯体の外面に面材を取り付ける、外装カーテンウォール工法が、広く行われている。
【０００３】
外装カーテンウォール工法の一つとして、ノックダウン方式が挙げられる。ノックダウン方式は、構造躯体外周に、長尺の垂直部材である方立と、水平部材である無目による格子状の構造を、施工現場で構造躯体に設置しながら組み立てる工法である。特許文献１は、図１５に示すような、ノックダウン方式のカーテンウォール取付構造を開示している。
図１５（ａ）はカーテンウォールの取付構造１００の、要部斜視図であり、（ｂ）は縦目地部の横断面図である。カーテンウォールの取付構造１００は、水平方向に所定の間隔をおいて上下方向に沿って方立１０１を固定した後、この方立１０１間に上下方向に所定間隔で無目１０２を架け渡すとともに、方立１０１の室外側面に縦枠１０３を取り付けて開口枠を構成し、縦枠１０３の室外側面に側枠１０４を取り付けた後、無目１０２の嵌合溝にガラス１０５を嵌め込み、ガラス側縁を側枠１０４に取り付けた押縁１０６によって固定した構造を有している。
【０００４】
このような、方立と無目によるカーテンウォール取付構造においては、方立と無目により形成されている領域は、通常は矩形であるが、地震発生時には、構造躯体のゆがみに伴う層間変位の影響で、方立が斜めに傾く一方で、無目は略水平を保っているため、平行四辺形に変形する。すなわち、このようなカーテンウォール構造に取り付ける面材も、層間変位の影響を受けるため、面材の損傷を小さくし、脱落を防止するための、様々な面材取付構造が検討されている。
例えば、面材がガラスの場合は、方立と無目によるカーテンウォール構造にガラスを設置し、層間変位の影響を受けガラスが傾いた際に、方立や無目と干渉しあわないように、ブーカム式によって検討する方法、ガラスの４隅に皿孔加工を施し、回転機構を有するボルトを取り付けて固定するドットポイントグレージング（ＤＰＧ）方式、ガラスのエッジ部分を特殊な部品で内外から挟んで固定するメタルポイントグレージング（ＭＰＧ）方式などが、提案されている。
面材が、オートクレーブ養生した軽量気泡コンクリート（ＡＬＣ）、押出成形セメント板、石張りである場合においても、同様に、面材独自の特性を活かした面材取付構造が確立され、標準化されている。
ところで、面材がアルミパネルの場合には、面材取付構造が標準化されておらず、したがって、施工される建築物に応じて、様々な面材取付構造が使用されている。比較的多く採用されている構造として、Ｌアングル下地等にアルミパネルをドリルネジで直接留め付ける構造が挙げられる。
【０００５】
アルミパネルを取り付ける他の構造として、図１６に示される構造が挙げられる。図１６（ａ）に、面材の層間変位追従機構として知られている、スウェー方式を採用した面材取付構造１１０を示す。面材取付構造１１０は、３本の方立１１１と、３本の無目１１２を備えており、方立１１１間にアルミパネル１１３が設置されている。アルミパネル１１３は、接続部１１４と接続部１１５において、方立１１１に接合されている。
図１６（ｂ）に、接続部１１４のＡ−Ａ´断面図を示す。アルミパネル１１３は、板体１１３ａと、板体１１３ａの裏側に接合された縦部材１１３ｂを備えている。縦部材１１３ｂは、板体１１３ａの垂直方向の両側辺に沿って、板体１１３ａの裏側に、垂直に接合されている。２枚の板体１１３ａが併設されると、隣接する側辺上の縦部材１１３ｂが、互いに隣接して位置する。この隣接する２枚の縦部材１１３ｂを挟み込むように、１つのウェブ１１８ａと２つのフランジ１１８ｂで構成された、コの字型断面の支持鋼材１１８が設置されている。縦部材１１３ｂの側面と、支持鋼材１１８のフランジ１１８ｂの内側側面１１８ｄとの間には、隙間が空けられている。アルミパネル１１３と支持鋼材１１８は、Ｌアングルなどの接合鋼材１１６、１１７によって接合されている。支持鋼材１１８は、図示しない鋼材によって、方立１１１に接合されている。
図１６（ｃ）に、接続部１１５のＢ−Ｂ´断面図を示す。接続部１１５においては、縦部材１１３ｂに穴または欠き込み１１３ｃが開設されている。また、支持鋼材１１８のフランジ１１８ｂの、縦部材１１３ｂに対応する位置にも、穴１１８ｃが開設されている。鋼棒１１９が、これらの穴または欠き込み１１３ｃ、及び穴１１８ｃを挿通して設けられており、鋼棒１１９の両端は、支持鋼材１１８のフランジ１１８ｂに接合されている。支持鋼材１１８は、接合鋼材１２０によって、方立１１１に接合されている。
上記のように、接続部１１４においては、アルミパネル１１３は方立１１１に移動不能に固定されている。他方、接続部１１５においては、アルミパネル１１３と支持鋼材１１８は、縦部材１１３ｂの側面と、支持鋼材１１８のフランジ１１８ｂの内側側面１１８ｄとの間の隙間の距離だけ、鋼棒１１９を介して、左右に相対移動することが可能となっている。このような構成を有することにより、図１６（ａ）の矢印方向に地震力が作用して、方立１１１が傾いても、アルミパネル１１３は接続部１１４において方立１１１の動きに追従しつつ、接続部１１５においては、方立１１１の動きに追従せず、方立１１１と相対的に、横方向に移動する。これにより、アルミパネル１１３が層間変位の影響を受けないようになっている。
【０００６】
上記のように、面材がアルミパネルの場合では、層間変位の影響を考慮した面材取付構造が、標準化されていない。すなわち、施工対象となる建築物ごとに、建築物の形状や構造、納期などに応じて、適切な面材取付構造を決定しなければならないため、設計及び施工検討に時間と工数がかかり、施工コストが嵩む。
また、図１６に示した方式においては、接続部１１４、１１５を、２枚のアルミパネル１１３の隣接する側辺上に設ける必要がある。すなわち、接続部１１４、１１５をアルミパネル１１３上の任意の場所に設けることができないため、仕上面材の形状や割り付けが制限されてしまう。
【先行技術文献】
【特許文献】
【０００７】
【特許文献１】特開２００１−３１１２５１号公報
【発明の概要】
【発明が解決しようとする課題】
【０００８】
本発明が解決しようとする課題は、仕上面材の形状や割り付けの自由度が高く、施工コストを低減可能な、面材取付構造を提供することである。
【課題を解決するための手段】
【０００９】
本発明は、上記課題を解決するため、以下の手段を採用する。すなわち、本発明は、構造躯体に設けられた無目と、該無目に複数のファスナーを介して取り付けられた面材を備え、前記無目は、これを断面視したときに、主壁部と、該主壁部に互いに間隔を空けて一方向に延びるように設けられた第１及び第２の立上り壁部と、該第１及び第２の立上り壁部に、互いに接近する、または離間する方向に延びるように設けられた第１及び第２の突出壁部を備えており、前記複数のファスナーの各々は、前記無目の主壁部側に当接させる無目取付壁部と、該無目取付壁部に互いに間隔を空けて前記無目の方向に延びるように設けられた第１及び第２の延出壁部と、該第１及び第２の延出壁部に、前記第１及び第２の突出壁部が互いに接近する場合には互いに離間し、前記第１及び第２の突出壁部が互いに離間する場合には互いに接近する方向に延びるように設けられた第１及び第２の係合壁部を備えており、前記複数のファスナーの各々は、前記第１及び第２の係合壁部の各々が、前記無目の前記第１及び第２の突出壁部の前記主壁部側の面に係合して、前記無目に対し前記無目の長さ方向に相対的に移動可能である、面材取付構造を提供する。
上記のような構成によれば、無目上の長さ方向における任意の位置にファスナーを設置して、ファスナーに対して面材を取り付けることが可能となる。すなわち、ファスナーの設置位置の選択自由度が、方立等の無目が設置されている部材の位置によって束縛されることがなくなるため、面材の形状や割り付けの自由度を高めることができる。
また、上記のように仕上面材の形状や割り付けの自由度が高いため、建築物の形状などに依存せずに、標準的に本構造を採用することができる。したがって、面材取付構造の決定や設計、及び施工検討にかかる時間、工数を低減し、すなわち、施工コストを低減することができる。
【００１０】
また、本発明は、構造躯体に設けられた無目と、該無目に複数のファスナーを介して取り付けられた面材を備え、前記無目は、これを断面視したときに、主壁部と、該主壁部に設けられた立上り壁部と、該立上り壁部に、互いに離間する方向に延びるように設けられた第１及び第２の突出壁部を備えており、前記複数のファスナーの各々は、前記無目の主壁部側に当接させる無目取付壁部と、該無目取付壁部に互いに間隔を空けて前記無目の方向に延びるように設けられた第１及び第２の延出壁部と、該第１及び第２の延出壁部に、互いに接近する方向に延びるように設けられた第１及び第２の係合壁部を備えており、前記複数のファスナーの各々は、前記第１及び第２の係合壁部の各々が、前記無目の前記第１及び第２の突出壁部の前記主壁部側の面に係合して、前記無目に対し前記無目の長さ方向に相対的に移動可能である、面材取付構造を提供する。
上記のような構成によれば、無目上の長さ方向における任意の位置にファスナーを設置して、ファスナーに対して面材を取り付けることが可能となる。すなわち、ファスナーの設置位置の選択自由度が、方立等の無目が設置されている部材の位置によって束縛されることがなくなるため、面材の形状や割り付けの自由度を高めることができる。
また、上記のように仕上面材の形状や割り付けの自由度が高いため、建築物の形状などに依存せずに、標準的に本構造を採用することができる。したがって、面材取付構造の決定や設計、及び施工検討にかかる時間、工数を低減し、すなわち、施工コストを低減することができる。
【００１１】
本発明の一態様においては、前記複数のファスナーの各々は、一方の側面に前記面材が取り付けられる面材取付壁部を備えており、該面材取付壁部には、前記面材が取り付けられる面と反対側の面に、上下方向に凹凸を繰り返す凹凸部が形成されるとともに、上下方向に延在する長孔が開設されており、該面材取付壁部の前記反対側の面には、上下方向に凹凸を繰り返す係合凹凸部を備えたワッシャが、前記面材取付壁部の凹凸部と前記係合凹凸部が係合するように連接されており、前記面材は、前記面材取付壁部の前記長孔と、前記ワッシャに開設されたボルト孔を介して、ボルト・ナットにより、前記面材取付壁部及び前記ワッシャに締結されている。
上記のような構成によれば、面材はワッシャに対してボルト・ナットにより固定されている。また、ファスナーの面材取付壁部には長孔が開設されており、ボルトはこの長孔を挿通している。すなわち、ボルト・ナットが締結されていない状態においては、面材、ワッシャ、及びボルト・ナットによる構造体は、ファスナーの面材取付壁部に対して、長孔が開設された方向である上下方向に移動可能である。したがって、面材の高さ位置の調整が容易に可能となる。
また、面材取付壁部とワッシャの、互いに連接する面においては、上下方向に凹凸を繰り返す凹凸部と、この凹凸部に係合する係合凹凸部がそれぞれ形成されているため、面材の位置を調整するために一端締結したボルト・ナットを緩めた場合の、鉛直荷重による面材の急激な落下を防止できる。また、凹凸部と係合凹凸部の互いに係合した凹凸を一段ずつ上下に、相対的にずらすことによって、面材を微小な距離で上下方向に移動することが可能である。これにより、面材の高さ位置調整が更に容易に可能となる。
また、ボルト・ナットを緊締した状態においては、面材取付壁部の、上下方向に凹凸を繰り返す凹凸部と、ワッシャの係合凹凸部が係合するように連接しているため、面材の荷重を無面に対して確実に伝達し、荷重を支持することが可能となる。
【００１２】
本発明の一態様においては、前記無目の、前記構造躯体側の側面には、上下方向に離間して、前記無目の長さ方向に延在する無目固定溝部が設けられており、前記無目は、無目取付部材を介して、前記構造躯体に設置された方立間に設置されており、前記無目取付部材は、頭部が前記上下の各無目固定溝部に係合して取り付けられた複数のボルトによって、前記無目に固定されている。
上記のような構成によれば、無目を方立に設置するための無目取付部材は、複数のボルトによって、ボルトの頭部が無目の無目固定溝部に係合して取り付けられており、無目固定溝部は長さ方向に延在しているため、方立の位置にあわせて、無目取付部材の無目への取付位置を変更可能である。したがって、設計自由度が向上する。
また、無目の無目固定溝部は上下方向に離間するように、上下に設けられており、無目取付部材はボルトによって、ボルトの頭部が上下の各無目固定溝部に係合して、縦方向に並ぶように取り付けられているため、上下に設置されたボルトにより無目及び面材の荷重を方立に対して確実に伝達し、荷重を支持することが可能となる。
【００１３】
本発明の一態様においては、前記無目は、前記構造躯体に設置された方立間に設置されており、前記方立は、前記面材に対して垂直な方向に湾曲する曲面形状を有している。
上記のような構成によれば、本面材取付構造においては、方立を含む縦方向に延在する部材の断面形状に制限はないため、方立を曲げやすい断面形状とすることで、方立が、面材に対して垂直な方向に湾曲する曲面形状を有するように構成することが可能となる。この場合には、面材が、方立に対応した湾曲する曲面形状を有することも可能となり、それにより、面材の形状や割り付けの自由度を更に高めることができる。
【発明の効果】
【００１４】
本発明によれば、仕上面材の形状や割り付けの自由度が高い面材取付構造を、提供することが可能となる。
好ましい様態では、施工コストの低減が可能である。
【図面の簡単な説明】
【００１５】
【図１】本発明の実施形態として示した面材取付構造の斜視図である。
【図２】本発明の実施形態として示した面材取付構造における、無目に対するファスナーの設置状況を示す部分拡大図である。
【図３】本発明の実施形態として示した面材取付構造における、無目の断面図である。
【図４】本発明の実施形態として示した面材取付構造におけるファスナーの斜視図である。
【図５】本発明の実施形態として示した面材取付構造におけるファスナーの、無目や面材への設置状況を示す側面図である。
【図６】本発明の実施形態として示した面材取付構造における、固定ボルト、ナットを示す説明図である。
【図７】本発明の実施形態として示した面材取付構造における無目取付部材の説明図である。
【図８】本発明の実施形態として示した面材取付構造の拡大図である。
【図９】本発明の実施形態として示した面材取付構造の第１の変形例における、無目とファスナーの接続状況を示した斜視図である。
【図１０】本発明の実施形態として示した面材取付構造の第１の変形例における、無目とファスナーの接続状況を示した断面図である。
【図１１】本発明の実施形態として示した面材取付構造の第２の変形例における、無目とファスナーの接続状況を示した斜視図である。
【図１２】本発明の実施形態として示した面材取付構造の第２の変形例における、無目とファスナーの接続状況を示した断面図である。
【図１３】本発明の実施形態として示した面材取付構造の第３の変形例における、方立の設置状況を示す説明図である。
【図１４】本発明の実施形態として示した面材取付構造の第４の変形例における、無目の断面図である。
【図１５】従来の面材取付構造を示す説明図である。
【図１６】従来の面材取付構造を示す説明図である。
【発明を実施するための形態】
【００１６】
以下、本発明の実施形態について図面を参照して詳細に説明する。
【００１７】
図１は、本発明の実施形態として示した面材取付構造１の、裏側、すなわち構造躯体側から見た斜視図である。本図においては、面材取付構造１が取り付けられた構造躯体は図示されておらず、面材取付構造１の紙面方向手前に存在している。図２（ａ）、（ｂ）は、無目に対するファスナーの設置状況を示す斜視図である。
面材取付構造１は、図示しない構造躯体に設置された方立２と、方立２間に、方立２を介して構造躯体に設けられた無目３と、無目３に複数のファスナー５（５Ａ、５Ｂ、５Ｃ）を介して取り付けられた面材７を備えている。
方立２は、長尺の鋼材であり、図示しない構造躯体の外面に、水平方向に所定の間隔を空けて、垂直に設置されている。方立として、Ｈ型鋼を用いてもよいが、面材７が受ける地震力や風荷重などの外力を考慮して、満足できる強度を有していれば、任意の素材や断面形状を使用して構わない。
【００１８】
無目３は、方立２間の間隔と同程度の長さを有する、長尺の鋼材であり、方立２間に、鉛直方向に所定の間隔を空けて設置されている。無目３の断面図を図３に示す。図３において、無目３は、無目３の右方向に構造躯体が、左方向に面材が位置するように設けられる。以下、図３等に示される無目の断面図において、構造躯体側の右方向を「内方」「内側」、その反対側、すなわち面材側の左方向を「外方」「外側」、内方と外方を結ぶ方向に水平面内で交差する方向を無目の「長さ方向」と適宜称する。
無目３は、図３のようにこれを長さ方向に断面視したときに、第１主壁部（主壁部）３ａと、第１主壁部３ａに互いに間隔を空けて一方向に延びるように設けられた第１及び第２立上り壁部３ｂ、３ｃと、第１及び第２立上り壁部３ｂ、３ｃに、互いに接近する方向に延びるように設けられた第１及び第２突出壁部３ｄ、３ｅを備えている。また、無目は、主壁部３ａの第１及び第２立上り壁部３ｂ、３ｃとは反対側に設けられた第２主壁部３ｆと、第２の主壁部３ｆに互いに間隔を空けて一方向に延びるように設けられた第３及び第４立上り壁部３ｐ、３ｑと、第３及び第４立上り壁部３ｐ、３ｑに、互いに接近する方向に延びるように設けられた第３及び第４突出壁部３ｒ、３ｓを備えている。
【００１９】
第１及び第２主壁部３ａ、３ｆは、各々が水平になるように位置しており、内外方向に略同程度の幅を有している。第１主壁部３ａは、第２主壁部３ｆの直上に位置している。第１及び第２主壁部３ａ、３ｆの、各々の外側の端辺には、垂直に延在する外側主壁部３ｇが、第１及び第２主壁部３ａ、３ｆの各々と外側主壁部３ｇが垂直になるように設けられている。また、第１及び第２主壁部３ａ、３ｆの、各々の内側の端辺には、垂直に延在する内側主壁部３ｈが、第１及び第２主壁部３ａ、３ｆの各々と内側主壁部３ｈが垂直になるように設けられている。内側主壁部３ｈの内側側面には、上下方向に凹凸を繰り返す凹凸部３ｉが形成されている。内側主壁部３ｈは、第１及び第２主壁部３ａ、３ｂとの接続点から上下方向に突出した突出部３ｚを有するように形成されている。
【００２０】
第１立上り壁部３ｂは、第１主壁部３ａの上面に、外側主壁部３ｇが第１主壁部３ａとの接続点から上方向に延在するように設けられている。また、第２立上り壁部３ｃは、第１主壁部３ａの上面の、内側主壁部３ｈから外方の位置に、第１主壁部３ａから上方に、垂直に立ち上がるように設けられている。
第１突出壁部３ｄは、第１立上り壁部３ｂの内側側面の、第１主壁部３ａの上方に、第１立上り壁部３ｂに直交して内方に延びるように設けられている。また、第２突出壁部３ｅは、第２立上り壁部３ｃの外側側面の、第１主壁部３ａの上方に、第２立上り壁部３ｃに直交して外方に延びるように設けられている。
【００２１】
第１主壁部３ａの上面の、第１立上り壁部３ｂと第２立上り壁部３ｃの間には、第１及び第２中間立上り壁部３ｊ、３ｋが、第１中間立上り壁部３ｊが第２中間立上り壁部３ｋの外側に位置するように、かつ、各々が第１主壁部３ａに対して垂直に立ち上がるように設けられている。
第１中間立上り壁部３ｊの上端内側には、第１中間立上り壁部３ｊに直交して内方に延びるように、第１支持壁部３ｌが設けられている。また、第２中間立上り壁部３ｋの上端外側には、第２中間立上り壁部３ｋに直交して外方に延びるように、第２支持壁部３ｍが設けられている。
【００２２】
第２立上り壁部３ｃの上端内側には、第２立上り壁部３ｃに直交して内方に延びるように、上側側壁部３ｎが設けられている。また、上側側壁部３ｎの内端下側には、上側側壁部３ｎに直交して下方に延びるように、上側突出壁部３ｏが設けられている。
【００２３】
第２主壁部３ｆの下側は、上記したような第１主壁部３ａの上側の構造と、上下方向に対称的な構造を備えている。すなわち、第２主壁部３ｆの下側には、第１主壁部３ａの上側と同様に、第１及び第２立上り壁部３ｂ、３ｃに対応する第３及び第４立上り壁部３ｐ、３ｑ、第１及び第２突出壁部３ｄ、３ｅに対応する第３及び第４突出壁部３ｒ、３ｓ、第１及び第２中間立上り壁部３ｊ、３ｋに対応する第３及び第４中間立上り壁部３ｔ、３ｕ、第１及び第２支持壁部３ｌ、３ｍに対応する第３及び第４支持壁部３ｖ、３ｗ、上側側壁部３ｎに対応する下側側壁部３ｘ、及び、上側突出壁部３ｏに対応する下側突出壁部３ｙが、それぞれ対応する上側の壁部と対称的に設けられている。
【００２４】
上記したような各壁部により、無目３の上下及び内側の側面には、無目３の長さ方向に延在する８個の溝部４ａ、４ｂ、４ｃ、４ｄ、４ｅ、４ｆ、４ｇ、４ｈが形成されている。
【００２５】
無目３の上側側面には、第１係合溝部４ａ、上側中間溝部４ｂ、及び、第２係合溝部４ｃが形成されている。第１係合溝部４ａは、第１主壁部３ａ、第１立上り壁部３ｂ及び第１中間立上り壁部３ｊの壁部表面により形成されており、外部へ連通する上方の開口部が、部分的に第１突出壁部３ｄによって狭められて、内部空間よりも狭く形成されている。上側中間溝部４ｂは、第１主壁部３ａ、第１中間立上り壁部３ｊ及び第２中間立上り壁部３ｋの壁部表面により形成されており、外部へ連通する上方の開口部が、部分的に第１及び第２支持壁部３ｌ、３ｍによって狭められて、内部空間よりも狭く形成されている。第２係合溝部４ｃは、第１主壁部３ａ、第２中間立上り壁部３ｋ及び第２立上り壁部３ｃの壁部表面により形成されており、外部へ連通する上方の開口部が、部分的に第２突出壁部３ｅによって狭められて、内部空間よりも狭く形成されている。
無目３の下側側面には、第３係合溝部４ｅ、下側中間溝部４ｆ、及び、第４係合溝部４ｇが形成されている。第３係合溝部４ｅは、第２主壁部３ｆ、第３立上り壁部３ｐ及び第３中間立上り壁部３ｔの壁部表面により形成されており、外部へ連通する下方の開口部が、部分的に第３突出壁部３ｒによって狭められて、内部空間よりも狭く形成されている。下側中間溝部４ｆは、第２主壁部３ｆ、第３中間立上り壁部３ｔ及び第４中間立上り壁部３ｕの壁部表面により形成されており、外部へ連通する下方の開口部が、部分的に第３及び第４支持壁部３ｖ、３ｗによって狭められて、内部空間よりも狭く形成されている。第４係合溝部４ｇは、第２主壁部３ｆ、第４中間立上り壁部３ｕ及び第４立上り壁部３ｑの壁部表面により形成されており、外部へ連通する下方の開口部が、部分的に第４突出壁部３ｓによって狭められて、内部空間よりも狭く形成されている。
【００２６】
無目３の、構造躯体側の側面すなわち内側側面には、上下方向に離間して、無目３の長さ方向に延在する上側及び下側無目固定溝部４ｄ、４ｈ（無目固定溝部）が設けられている。上側無目固定溝部４ｄは、第１主壁部３ａ、第２立上り壁部３ｃ、及び上側側壁部３ｎの壁部表面により形成されており、外部へ連通する内方の開口部が、部分的に上側突出壁部３ｏ及び内側主壁部３ｈの突出部３ｚによって狭められて、内部空間よりも狭く形成されている。下側無目固定溝部４ｈは、第２主壁部３ｆ、第４立上り壁部３ｑ、及び下側側壁部３ｘの壁部表面により形成されており、外部へ連通する内方の開口部が、部分的に下側突出壁部３ｙ及び内側主壁部３ｈの突出部３ｚによって狭められて、内部空間よりも狭く形成されている。
【００２７】
後述するように、第１から第４係合溝部４ａ、４ｃ、４ｅ、４ｇには、図４に示されるファスナー５の本体２０の第１及び第２延出壁部２０ｃ、２０ｄと第１及び第２係合壁部２０ｅ、２０ｆが、上側及び下側中間溝部４ｂ、４ｆには、図５に示される固定ボルト２１の頭部２１ａが、及び、上側及び下側無目固定溝部４ｄ、４ｈには、図５に示されるボルト１０の頭部１０ａが、それぞれ格納されて、各溝部の形状と係合することにより固定される。したがって、各溝部の形状や大きさは、取り付けるファスナー５やボルト１０、２１の仕様により決定されている。
【００２８】
無目３の材質としては、加工性などを考えるとアルミ合金型材を使用するのが好ましいが、他の素材でも構わない。
【００２９】
次に、ファスナー５について説明する。図２に示されるように、無目３に対して、複数のファスナー５（５Ａ、５Ｂ、５Ｃ）が取り付けられている。ファスナー５は、自重受け用固定ファスナー５Ａ、自重受け用可動ファスナー５Ｂ、及び、スライド用ファスナー５Ｃを備えている。自重受け用固定ファスナー５Ａと自重受け用可動ファスナー５Ｂは、面材７の荷重を無目３に伝えるためのファスナーである。自重受け用固定ファスナー５Ａは無目３に移動不能に緊締されている。自重受け用可動ファスナー５Ｂは、後に詳説するように、無目３等の熱伸びに対応するために、無目３に移動可能に取り付けられている。スライド用ファスナー５Ｃは、地震時の無目３と面材７の相対移動を可能にするために、無目３に対して移動可能に取り付けられたファスナーである。以下、各ファスナーについて詳細に説明する。
【００３０】
自重受け用固定ファスナー５Ａは、本体２０Ａ、固定ボルト２１、固定ナット２２、面材取付用のボルト２３・ナット２４、ワッシャ２８、２９を備えている。図４は、面材取付構造１における自重受け用固定ファスナー５Ａの本体２０Ａの斜視図、図５は無目３や面材７への設置状況を示す側面図である。図４、図５において、自重受け用固定ファスナー５Ａの右方向に構造躯体が、左方向に面材が位置するように、自重受け用固定ファスナー５Ａは設けられる。したがって、図４、図５においても、図３と同様に、構造躯体側の右方向を「内方」「内側」、その反対側、すなわち面材側の左方向を「外方」「外側」、内方と外方を結ぶ方向に水平面内で交差する方向を「長さ方向」と適宜称する。
【００３１】
自重受け用固定ファスナー５Ａの本体２０Ａは、これを長さ方向に断面視したときに、無目取付壁部２０ａと、面材取付壁部２０ｂを備えている。面材取付壁部２０ｂは、無目取付壁部２０ａの一側辺に、無目取付壁部２０ａと垂直になるように、接合されている。図５を用いて後述するように、無目取付壁部２０ａは、その下面が無目３の第１または第２主壁部３ａ、３ｆ側に当接させるように、無目３に設置されており、また、面材７は、面材取付壁部２０ｂの一方の側面である外側側面に取り付けられている。すなわち、図４において無目取付壁部２０ａの下方向に無目３が位置し、面材取付壁部２０ｂの外方に面材７が位置するように、自重受け用固定ファスナー５Ａは設置される。
【００３２】
本体２０Ａは、第１及び第２延出壁部２０ｃ、２０ｄを備えている。第１延出壁部２０ｃが第２延出壁部２０ｄの外側に位置するように、第１及び第２延出壁部２０ｃ、２０ｄは、互いに間隔を空けて設けられている。第１及び第２延出壁部２０ｃ、２０ｄは、無目取付壁部２０ａの下面から、無目３の方向、すなわち下方に延びるように、無目取付壁部２０ａに対して垂直に設けられている。
本体２０Ａは、第１及び第２係合壁部２０ｅ、２０ｆを備えている。第１係合壁部２０ｅは、第１延出壁部２０ｃの下端辺から外方に延びるように、第１延出壁部２０ｃに対して垂直に設けられている。第２係合壁部２０ｆは、第２延出壁部２０ｄの下端辺から内方に延びるように、第２延出壁部２０ｄに対して垂直に設けられている。これにより、第１及び第２係合壁部２０ｅ、２０ｆは、第１及び第２延出壁部２０ｃ、２０ｄに、互いに離間する方向に延びるように設けられている。
図５を用いて後述するように、第１係合壁部２０ｅの上面が第１突出壁部３ｄの下面に面して、なおかつ、第２係合壁部２０ｆの上面が第２突出壁部３ｅの下面に面して位置して係合するように、自重受け用固定ファスナー５Ａは無目３に取り付けられる。図３を用いて上記したように、無目３の第１及び第２突出壁部３ｄ、３ｅは、互いに接近する方向に延びるように設けられているが、これに対応して、自重受け用固定ファスナー５Ａの第１及び第２延出壁部２０ｃ、２０ｄの各々が第１突出壁部３ｄの内側と第２突出壁部３ｅの外側から第１及び第２突出壁部３ｄ、３ｅの間に入り込むように下方に延在し、第１及び第２延出壁部２０ｃ、２０ｄの下端から第１及び第２係合壁部２０ｅ、２０ｆが互いに離間する方向に延びて第１及び第２突出壁部３ｄ、３ｅに係合するように設けられていることにより、自重受け用固定ファスナー５Ａの係合による無目３への取付が可能となっている。
【００３３】
第１延出壁部２０ｃの外側側面には、自重受け用固定ファスナー５Ａが図２に示されるように取り付けられる無目３の長さ方向、すなわち図４における奥行き方向に延在する第１凸条２０ｊが形成されている。第１凸条２０ｊの突出高さを含めた第１延出壁部２０ｃの幅は、図３に示される無目３の第１突出壁部３ｄの先端と、第１中間立上り壁部３ｊの外側側面との間隔よりもわずかに小さくなるように形成されている。
無目取付壁部２０ａの下面の、第１延出壁部２０ｃと第２延出壁部２０ｄの間には、第１凸条２０ｊと同一方向に延在する第２及び第３凸条２０ｋ、２０ｌが形成されている。第２及び第３凸条２０ｋ、２０ｌの突出高さと、図３に示される無目３の第１及び第２中間立上り壁部３ｊ、３ｋの高さの合計が、第１及び第２延出壁部２０ｃ、２０ｄの高さよりも高くなるように形成されている。
第２延出壁部２０ｄの内側側面には、第１凸条２０ｊと同一方向に延在する第４凸条２０ｍが形成されている。第４凸条２０ｍの突出高さを含めた第２延出壁部２０ｄの幅は、図３に示される無目３の第２突出壁部３ｅの先端と、第２中間立上り壁部３ｋの内側側面との間隔よりもわずかに小さくなるように形成されている。
第２係合壁部２０ｆの上面には、第１凸条２０ｊと同一方向に延在する第５凸条２０ｎが形成されている。第５凸条２０ｎの先端と、無目取付壁部２０ａの下面との間隔は、図３に示される第２突出壁部３ｅの幅よりもわずかに大きくなるように形成されている。
【００３４】
無目取付壁部２０ａには、ボルト孔２０ｉが設けられている。また、面材取付壁部２０ｂには、面材７が取り付けられる面と反対側の面、すなわち内側側面に、上下方向に凹凸を繰り返す凹凸部２０ｇが形成されるとともに、上下方向に延在して面材取付壁部２０ｂを貫通する長孔２０ｈが開設されている。
【００３５】
上記のような自重受け用固定ファスナー５Ａの本体２０Ａは、図５に示されるように無目３に取り付けられる。本体２０Ａの第１延出壁部２０ｃは、無目３の第１突出壁部３ｄの先端と、第１中間立上り壁部３ｊの外側側面に挟まれており、本体２０Ａの第１延出壁部２０ｃに形成された、図４に示される第１凸条２０ｊが無目３の第１突出壁部３ｄの先端に当接している。また、本体２０Ａの第１係合壁部２０ｅが、無目３の、図３に示される第１係合溝部４ａ内に格納されて、第１係合壁部２０ｅの上面が第１突出壁部３ｄの下面に面するように位置している。
本体２０Ａの第２延出壁部２０ｄは、無目３の第２突出壁部３ｅの先端と、第２中間立上り壁部３ｋの内側側面に挟まれており、本体２０Ａの第２延出壁部２０ｄに形成された、図４に示される第４凸条２０ｍが無目３の第２突出壁部３ｅの先端に当接している。また、本体２０Ａの第２係合壁部２０ｆが、無目３の、図３に示される第２係合溝部４ｃ内に格納されて、第２係合壁部２０ｆの上面が第２突出壁部３ｅの下面に面するように位置している。更に、第２係合壁部２０ｆに形成された、図４に示される第５凸条２０ｎが、無目３の第２突出壁部３ｅの下面に当接している。
本体２０Ａの無目取付壁部２０ａは、図４に示される第２及び第３凸条２０ｋ、２０ｌの各々が、無目３の第１及び第２支持壁部３ｌ、３ｍの各々の上面上に当接して載置されている。無目取付壁部２０ａの、第２係合壁部２０ｆの上方に位置する部分は、無目３の第２突出壁部３ｅの上面よりわずかに上に位置している。無目取付壁部２０ａの、第１係合壁部２０ｅの上方に位置する部分は、無目３の第１立上り壁部３ｂの上端よりわずかに上に位置しており、なおかつ、この上端よりも外側に無目取付壁部２０ａが延在することにより、面材取付壁部２０ｂが無目３の外側側面よりも更に外側に突出して位置している。
【００３６】
本体２０Ａは、アルミ型材により製造されている。
【００３７】
本体２０Ａは、図６に拡大して示される、固定ボルト２１によって無目３に係合されている。固定ボルト２１は、頭部２１ａと雄ネジ部２１ｂを備えている。固定ボルト２１は、図５に示されるように、頭部２１ａが下に位置して図３に示される上側中間溝部４ｂ内に格納され、雄ネジ部２１ｂが上方を向いてボルト孔２０ｉを挿通するように配置されている。固定ボルト２１は、角ボルトである。すなわち、固定ボルト２１の頭部２１ａは、頭部２１ａが上側中間溝部４ｂ内に設置された後に固定ボルト２１が回転しないように、図５に示される内外方向に、無目３の上側中間溝部４ｂの幅よりもわずかに小さな側辺を有する矩形形状を成している。また、頭部２１ａの内外方向に延在する側辺の長さは上側中間溝部４ｂの開口部の幅、すなわち、第１及び第２支持壁部３ｌ、３ｍの先端間の幅より大きくなっている。
本体２０Ａの無目取付壁部２０ａの上方において、固定ボルト２１の雄ネジ部２１ｂには、ワッシャ２８を介して固定ナット２２が螺着されている。固定ボルト２１の頭部２１ａが上側中間溝部４ｂの開口部の幅より大きな長さの側辺を有しているため、固定ボルト２１の頭部２１ａと固定ナット２２の間には、無目３の第１及び第２支持壁部３ｌ、３ｍ、本体２０Ａの無目取付壁部２０ａ、及びワッシャ２８が挟まれている。
自重受け用固定ファスナー５Ａにおいては、固定ボルト２１と固定ナット２２はトルク管理により緊結されている。この場合、将来的に地震による層間変位が生じたとしても、繰り返し振動（振幅）によるボルト・ナットの緩みの心配がなくなるため、実質上のメンテナンスフリーとすることができる。
【００３８】
上記のように、複数の自重受け用固定ファスナー５Ａの各々は、第１及び第２係合壁部２０ｅ、２０ｆの各々が、無目３の第１及び第２突出壁部３ｄ、３ｅの第１主壁部３ａ側の面、すなわち下面に係合しており、また、固定ボルト２１の頭部２１ａが、第１及び第２支持壁部３ｌ、３ｍの下面に係合している。これにより、ファスナー５に対して無目３とは反対の方向に引き抜く力が作用しても、ファスナー５が無目３から分離しない構造となっている。
【００３９】
本体２０Ａの面材取付壁部２０ｂの、面材７が取り付けられる面と反対側の面、すなわち内側側面には、上下方向に凹凸を繰り返す係合凹凸部２９ａを備えたワッシャ２９が、図４に示される面材取付壁部２０ｂの凹凸部２０ｇと係合凹凸部２９ａが係合するように連接されている。
面材７は、ボルト２３が外方から、面材７に開設された孔７ａ、面材取付壁部２０ｂの長孔２０ｈ、及び、ワッシャ２９に開設されたボルト孔２９ｂを挿通するように配設されて、内側、すなわちワッシャ２９側から緩み止め仕様のナット２４を螺着することにより、面材取付壁部２０ｂ及びワッシャ２９に締結されている。
【００４０】
次に、自重受け用可動ファスナー５Ｂを説明する。自重受け用可動ファスナー５Ｂは、自重受け用固定ファスナー５Ａと同様に、面材７の荷重を無目３に伝えるためのものである。自重受け用可動ファスナー５Ｂは、図２に示されるように、本体２０Ｂ、面材取付用のボルト２３・ナット２４、ワッシャ２９を備えている。自重受け用可動ファスナー５Ｂは、自重受け用固定ファスナー５Ａと異なり、本体２０Ｂに、図４に示されるボルト孔２０ｉが開設されておらず、更に、自重受け用可動ファスナー５Ｂは自重受け用固定ファスナー５Ａにおける固定ボルト２１、固定ナット２２、及びワッシャ２８を備えていない。上記以外の、ファスナーとしての構造は、自重受け用固定ファスナー５Ａと同じである。すなわち、本体２０Ｂは、図４に示される本体２０Ａと同様に、無目取付壁部２０ａ、面材取付壁部２０ｂ、第１及び第２延出壁部２０ｃ、２０ｄ、及び、第１及び第２係合壁部２０ｅ、２０ｆを備えている。
上記の構成により、自重受け用可動ファスナー５Ｂは、無目３に対して、第１及び第２係合壁部２０ｅ、２０ｆの各々が、無目３の第１及び第２突出壁部３ｄ、３ｅの第１主壁部３ａ側の面、すなわち下面に係合することによってのみ、取り付けられている。すなわち、自重受け用可動ファスナー５Ｂは、自重受け用固定ファスナー５Ａのように固定ボルト２１によって緊結されていない。これにより、自重受け用可動ファスナー５Ｂは、無目３に対して長さ方向に沿って移動可能となるように、無目３に設置されている。
【００４１】
本実施形態において、１本の無目３に対して１枚の面材７を取り付けるに際し、面材７の荷重を複数の自重受け用固定ファスナー５Ａ及び自重受け用可動ファスナー５Ｂで支持する場合においては、無目３に取り付けるファスナーの１個のみを自重受け用固定ファスナー５Ａとし、他を自重受け用可動ファスナー５Ｂとしている。仮に、複数の自重受け用固定ファスナー５Ａを使用すると、これらの自重受け用固定ファスナー５Ａ間に位置する無目３と面材７が熱伸びした際に、双方の熱膨張係数の相違により、無目３と面材７に応力がかかり、破損する可能性がある。自重受け用固定ファスナー５Ａを１個のみとし、他を自重受け用可動ファスナー５Ｂとする構成により、熱伸び時に自重受け用可動ファスナー５Ｂが移動して応力を吸収し、熱伸びによる破損を防止することを可能としている。
【００４２】
次に、スライド用ファスナー５Ｃを説明する。スライド用ファスナー５Ｃは、地震時における無目３と面材７の相対移動を可能にするため、無目３に対して移動可能に取り付けられたファスナーである。スライド用ファスナー５Ｃは、自重受け用可動ファスナー５Ｂと同じ構成を備えている。すなわち、スライド用ファスナー５Ｃは、図２に示されるように、本体２０Ｂ、面材取付用のボルト２３・ナット２４、ワッシャ２９を備えている。スライド用ファスナー５Ｃは、自重受け用可動ファスナー５Ｂと同様に、図４に示されるボルト孔２０ｉが開設されていない本体２０Ｂを備えている。したがって、スライド用ファスナー５Ｃは自重受け用固定ファスナー５Ａにおける固定ボルト２１、固定ナット２２、及びワッシャ２８を備えていない。
上記の構成により、スライド用ファスナー５Ｃは、自重受け用可動ファスナー５Ｂと同様に、無目３に対して、第１及び第２係合壁部２０ｅ、２０ｆの各々が、無目３の第１及び第２突出壁部３ｄ、３ｅの第１主壁部３ａ側の面、すなわち下面に係合することによってのみ、取り付けられている。すなわち、スライド用ファスナー５Ｃは、自重受け用固定ファスナー５Ａのようにボルトによって緊結されていない。これにより、スライド用ファスナー５Ｃは、無目３に対して長さ方向に沿って移動可能となるように、無目３に設置されている。
【００４３】
スライド用ファスナー５Ｃは、上記のように、自重受け用可動ファスナー５Ｂと同じ構成を備えているが、自重受け用可動ファスナー５Ｂとは異なる役割を担っている。自重受け用可動ファスナー５Ｂは、上記したように、面材７の自重を支えつつ、熱伸びによる破損を防止することを目的としたものであるが、スライド用ファスナー５Ｃは、地震時に無目３に対して滑動して、無目３と面材７の相対移動を可能にすることを目的としている。
本実施形態においては、図１、図２に示されるように、スライド用ファスナー５Ｃは主に、無目３の下側に設けられている。この場合には、図５を用いて説明した無目３の上側へのファスナーの設置構造を上下反転させた形態で、ファスナーが設置される。すなわち、本体２０が図４を上下反転された形態で無目３の下側に位置せしめられ、図３に示される第３及び第４係合溝部４ｅ、４ｇに、本体２０の第１及び第２延出壁部２０ｃ、２０ｄと第１及び第２係合壁部２０ｅ、２０ｆが、それぞれ格納されることにより、ファスナー５が無目３の下側に固定される。ファスナーが自重受け用固定ファスナー５Ａの場合には、下側中間溝部４ｆに固定ボルト２１の頭部２１ａが格納される。
【００４４】
ファスナー５（５Ａ、５Ｂ、５Ｃ）は、無目３への接合方法が守られていれば、無目３の上側、または下側の任意の位置に設置することができる。これが、面材形状に意匠性を高めても、本構造を用いれば、地震時に層間変位追従性能を持たせることが可能となる理由である。
【００４５】
次に、無目３の、図１に示されるような方立２への取付について説明する。無目は、図５、図７等に示される、無目取付部材８を介して、方立２間に設置されている。無目取付部材８は、底板８ａと側板８ｂを備えており、底板８ａの一側辺に、側板８ｂが、底板８ａと垂直になるように、接合されて形成されている。
無目取付部材８の底板８ａには、図５に示されるように、２つの孔８ｃが、側板８ｂの接合された側辺の方向と平行に、すなわち図５において鉛直方向に、並んで開設されている。無目取付部材８は、この２つの孔８ｃが、孔８ｃの各々が図３に示される無目３の上側及び下側無目固定溝部４ｄ、４ｈの開口に位置するように設置されている。
図３に示される、上側突出壁部３ｏと内側主壁部３ｈの突出部３ｚの各先端間の幅、及び、下側突出壁部３ｙと内側主壁部３ｈの突出部３ｚの各先端間の幅よりも頭部１０ａの径が大きなボルト１０が、頭部１０ａが上側及び下側無目固定溝部４ｄ、４ｈの各々に位置せしめられて上側及び下側突出壁部３ｏ、３ｙと内側主壁部３ｈの突出部３ｚと係合することにより、無目３に取り付けられている。各ボルト１０の雄ネジ部１０ｂは、上側及び下側無目固定溝部４ｄ、４ｈの開口上に位置している底板８ａの孔８ｃを各々挿通し、底板８ａの無目３とは反対側の面において、緩み止め仕様のナット１２が螺着されることにより、無目取付部材８は無目３に固定されている。
無目取付部材８の側板８ｂは、ボルト・ナット１１などにより、図５等に示されるように方立２に固定されている。ナット１１としては緩み止め仕様のものを用いるのが好適である。
【００４６】
図３を用いて説明したように、無目３の内側主壁部３ｈの内側側面には、上下方向に凹凸を繰り返す凹凸部３ｉが形成されている。この凹凸部３ｉに、図７に示されるように無目取付部材８の底板８ａの表面や、あるいは、図７には示されていないが方立２、方立２と無目３を接続する他の接続部材等が接触するように設けられている。
【００４７】
このような、方立２、無目３、自重受け用固定ファスナー５Ａ、自重受け用可動ファスナー５Ｂ、及びスライド用ファスナー５Ｃによって構成された構造体に対して、面材７は、図１に示されるように取り付けられる。すなわち、各無目３において、無目３に対し相対的に移動可能なスライド用ファスナー５Ｃと、無目３に対して移動不能に固定されている自重受け用固定ファスナー５Ａを、それぞれ異なる面材７に固定し、これら異なる面材７は、互いに相対的に移動可能とすることができるように、取り付けられている。
図１において、面材７の水平方向に沿った対角線に沿うように、１本の無目３が位置している。面材７は、この無目３に対して、１個の自重受け用固定ファスナー５Ａと、１個の自重受け用可動ファスナー５Ｂにより、面材７の自重が支えられて、取り付けられている。また、面材７の鉛直方向に沿った対角線の角の各々の部分においては、面材７はそれぞれ異なる無目３に対して、スライド用ファスナー５Ｃによって接続されている。
【００４８】
図１の、Ａ矢視部分の拡大図を、図８に示す。ここで、図８に図示された無目３Ａに対して、１個の自重受け用固定ファスナー５Ａと、１個の自重受け用可動ファスナー５Ｂを介して取り付けられた、面材７Ａに着目する。面材７Ａは、上段の無目３Ｂ及び下段の無目３Ｃに対して、面材７Ａの鉛直方向に沿った対角線の角の部分において、スライド用ファスナー５Ｃを介して取り付けられている。
図８において、面材７Ａの右上、左上、左下、右下にそれぞれ位置する面材７Ｂ、７Ｃ、７Ｄ、７Ｅは、面材７Ａと同様な形状を有しており、面材７Ａと同様な方向で配置されている。面材７Ａの各側辺と、面材７Ｂ、７Ｃ、７Ｄ、７Ｅのいずれかの側辺は、一定の間隔の目地を空けて、互いに隣接して対向するように、面材７Ａと面材７Ｂ、７Ｃ、７Ｄ、７Ｅは併設されている。
上記の目地は、上下の無目３間の距離をｈとすると、ｈ／１００程度以上とするのが望ましい。例えばｈが１ｍの場合は、目地は１０ｍｍ程度以上あるのが望ましい。
【００４９】
面材７Ｂ、７Ｃ、７Ｄ、７Ｅは、面材７Ａが自重受け用固定ファスナー５Ａを介して取り付けられた無目３Ａに対して、各面材７Ｂ、７Ｃ、７Ｄ、７Ｅの鉛直方向に沿った対角線の角の部分において、それぞれスライド用ファスナー５Ｃを介して、無目３Ａに対して移動可能に取り付けられている。また、面材７Ｂ、７Ｃは無目３Ａの一段上に位置する無目３Ｂに、及び、面材７Ｄ、７Ｅは無目３Ａの一段下に位置する無目３Ｃに、それぞれ自重受け用固定ファスナー５Ａと自重受け用可動ファスナー５Ｂを介して取り付けられている。なお、一本の無目３に対するファスナー５Ａ、５Ｂ、５Ｃ及び面材７の取り付け方はこれに限られず、本発明の趣旨を逸脱しない限り、他の多様な取り付け方が考えらえることは、言うまでもない。
【００５０】
次に、上記の面材取付構造１の作用、効果について説明する。
【００５１】
地震が発生し、構造躯体に横方向の地震力が作用すると、構造躯体のゆがみに伴う層間変位の影響で、方立２が斜めに傾く。これに伴い、異なる高さに位置する無目３は、無目３の長さ方向に、互いに相対的に移動する。ここでは、例えば、図８に示される無目３Ａが無目３Ｃに対して、なおかつ、無目３Ｂが無目３Ａ及び無目３Ｃに対して、それぞれ右方向に相対移動する場合を考える。左方向に相対移動する場合においても、以下と同様な説明が可能である。
【００５２】
面材７Ａは、無目３Ａに、自重受け用固定ファスナー５Ａを介して緊結に取り付けられているため、無目３Ａの無目３Ｃに対する右方向への相対移動に伴い、無目３Ａと共に、右方向へ移動しようとする。ここで、面材７Ａは、無目３Ｃに、無目３Ｃに対し長さ方向に相対的に移動可能スライド用ファスナー５Ｃを介して取り付けられている。したがって、面材７Ａは無目３Ｃに対して相対移動を行うことが可能であり、これにより、面材７Ａに作用する層間変位の影響に対応することが可能である。
面材７Ｄ、７Ｅは、無目３Ｃに自重受け用固定ファスナー５Ａを介して緊結に取り付けられているため、面材７Ａは、無目３Ｃに対して相対移動すると同時に、面材７Ｄ、７Ｅに対しても同様に相対移動する。相対移動の方向が右方向であるため、面材７Ａは右下に位置する面材７Ｅに接近するように移動する。ここで、面材７Ａと面材７Ｅとの間には、一定の間隔の目地が設けられているため、面材７Ａの面材７Ｅに対する相対移動が発生しても、面材７Ａと面材７Ｅは接触しない。
また、面材７Ａは、無目３Ｂに、スライド用ファスナー５Ｃを介して取り付けられているため、無目３Ｂの無目３Ａに対する右方向への相対移動が発生した際に、無目３Ｂは面材７Ａに対して相対移動を行うことが可能であり、したがって、面材７Ａに作用する層間変位の影響に対応することが可能である。
面材７Ｂ、７Ｃは、無目３Ｂに自重受け用固定ファスナー５Ａを介して緊結に取り付けられているため、面材７Ｂ、７Ｃは無目３Ｂと共に、面材７Ａに対して相対移動する。相対移動の方向が右方向であるため、面材７Ａの左上に位置する面材７Ｃは、面材７Ａに接近するように移動する。ここで、面材７Ａと面材７Ｃとの間には、一定の間隔の目地が設けられているため、面材７Ｃの面材７Ａに対する相対移動が発生しても、面材７Ａと面材７Ｃは接触しない。
【００５３】
上記のように、図４に示されるような、各ファスナー５の本体２０（２０Ａ、２０Ｂ）の、第１及び第２係合壁部２０ｅ、２０ｆの各々が、図３に示される無目３の第１及び第２突出壁部３ｄ、３ｅの第１主壁部３ａ側の面に係合することによって、各ファスナー５は無目３に取り付けられている。この構造により、特に無目３に対して固定ボルトにより緊結されていないスライド用ファスナー５Ｃは、無目３に対し長さ方向に、相対的に移動可能であるため、地震により無目３や方立２に層間変位が生じても、スライド用ファスナー５Ｃに取り付けられた面材７が、方立２や無目３に対して相対的に移動することが可能である。したがって、面材７が受ける層間変位の影響を低減し、面材７の破損及び脱落を防止することが可能である。
上記に加え、１本の無目３に接合されている自重受け用固定ファスナー５Ａ及びスライド用ファスナー５Ｃに対して、それぞれ異なる面材７が取り付けられており、面材７間の相対移動が可能となるため、面材７の層間追従性能を更に高めることが可能となる。面材７間には目地が設けてあるため、面材７間の干渉によって層間追従性能は損なわれない。
【００５４】
また、無目３上の長さ方向における任意の位置に自重受け用固定ファスナー５Ａ、自重受け用可動ファスナー５Ｂ及びスライド用ファスナー５Ｃを設置して、各ファスナー５（５Ａ、５Ｂ、５Ｃ）に対して面材７を取り付ける構成を有しており、各ファスナー５（５Ａ、５Ｂ、５Ｃ）の設置位置の選択自由度が、方立２の位置によって束縛されることがなくなるため、面材７の形状や割り付けの自由度を高めることができる。
【００５５】
１本の無目３は上下の反対側に位置する各側面に任意に各ファスナー５（５Ａ、５Ｂ、５Ｃ）や面材７を設置することができる。したがって、設計の自由度を向上させることが可能となる。
【００５６】
本実施形態においては、各ファスナー５（５Ａ、５Ｂ、５Ｃ）の本体２０（２０Ａ、２０Ｂ）は、図４等に示されるように２枚の矩形の鋼板が接合されたＬ字型形状をなしているが、第１及び第２係合壁部２０ｅ、２０ｆを備えて無目３の第１及び第２突出壁部３ｄ、３ｅの第１主壁部３ａ側の面に係合することによって無目３に取り付け可能な構成を有していれば、本体２０（２０Ａ、２０Ｂ）は、例えばコの字形状、Ｉ字形状など、他のどのような形状、大きさを成していても構わない。すなわち、多様な形状のファスナー５（５Ａ、５Ｂ、５Ｃ）を無目３に接合することが可能であり、ファスナー５（５Ａ、５Ｂ、５Ｃ）の設計次第で、多様な仕様の建材を取り付けることが可能である。
【００５７】
上記のように、面材７の形状や割り付けの自由度が高く、無目３の上下の側面に各ファスナー５（５Ａ、５Ｂ、５Ｃ）を取り付けることが可能であり、また、各ファスナー５（５Ａ、５Ｂ、５Ｃ）の設計次第で、多様な仕様の建材を取り付けることが可能であるため、建築物の形状などに依存せずに、標準的に本構造を採用することができる。したがって、面材取付構造の決定や設計、及び施工検討にかかる時間、工数を低減し、すなわち、施工コストを低減することができる。
【００５８】
また、各ファスナー５（５Ａ、５Ｂ、５Ｃ）の本体２０（２０Ａ、２０Ｂ）は、加工性が良好なアルミ型材により製造されているため、ファスナー５（５Ａ、５Ｂ、５Ｃ）の製造を容易に行うことができる。
【００５９】
また、図５に示されるように、面材７はワッシャ２９に対して、面材取付用のボルト２３・ナット２４により固定されている。また、ファスナー５（５Ａ、５Ｂ、５Ｃ）の面材取付壁部２０ｂには長孔２０ｈが開設されており、ボルト２３はこの長孔２０ｈを挿通している。すなわち、ボルト２３・ナット２４が締結されていない状態においては、面材７、ワッシャ２９、及びボルト２３・ナット２４による構造体は、ファスナー５（５Ａ、５Ｂ、５Ｃ）の面材取付壁部２０ｂに対して、長孔２０ｈが開設された方向である上下方向に移動可能である。したがって、面材７の高さ位置の調整が容易に可能となる。
また、面材取付壁部２０ｂとワッシャ２９の、互いに連接する面においては、図４に示される上下方向に凹凸を繰り返す凹凸部２０ｇと、図５に示されるこの凹凸部に係合する係合凹凸部２９ａがそれぞれ形成されているため、面材７の位置を調整するために一端締結したボルト２３・ナット２４を緩めた場合の、鉛直荷重による面材７の急激な落下を防止できる。また、凹凸部２０ｇと係合凹凸部２９ａの互いに係合した凹凸を一段ずつ上下に、相対的にずらすことによって、面材７を微小な距離で上下方向に移動することが可能である。これにより、面材７の高さ位置調整が更に容易に可能となる。
【００６０】
また、ボルト２３・ナット２４を緊締した状態においては、面材取付壁部２０ｂの、上下方向に凹凸を繰り返す凹凸部２０ｇと、ワッシャ２９の係合凹凸部２９ａが係合するように連接しているため、面材７の荷重を無目３に対して確実に伝達し、荷重を支持することが可能となる。
また、図３に示される、無目３の内側側面に位置する上側及び下側無目固定溝部４ｄ、４ｈは、上下方向に離間するように、上下に設けられており、図５に示されるように、無目取付部材８はボルト１０によって、ボルト１０の頭部１０ａが上側及び下側無目固定溝部４ｄ、４ｈの各々に係合して、縦方向に並ぶように取り付けられているため、上下に設置されたボルト１０により無目３及び面材７の荷重を方立２に対して確実に伝達し、荷重を支持することが可能となる。
【００６１】
また、無目３を方立２に設置するための無目取付部材８は、複数のボルト１０によって、ボルト１０の頭部１０ａが無目３の上側及び下側無目固定溝部４ｄ、４ｈの各々に係合して取り付けられており、上側及び下側無目固定溝部４ｄ、４ｈの各々は無目３の長さ方向に延在しているため、方立２の位置にあわせて、無目取付部材８の無目３への取付位置を変更可能である。したがって、設計自由度が向上する。
【００６２】
また、ファスナー５（５Ａ、５Ｂ、５Ｃ）の無目３への取付は、図４に示されるような、各ファスナー５の本体２０（２０Ａ、２０Ｂ）の第１及び第２係合壁部２０ｅ、２０ｆと、図３に示される無目３の第１及び第２突出壁部３ｄ、３ｅを係合させるという構造上、無目３の長さ方向における一端において、ファスナー５（５Ａ、５Ｂ、５Ｃ）を無目３に係合させるように位置づけたうえで、ファスナー５を無目３の長さ方向に滑らせることにより行われる。ここで、ファスナー５（５Ａ、５Ｂ、５Ｃ）の各壁部に形成された第１から第５の凸条２０ｊ、２０ｋ、２０ｌ、２０ｍ、２０ｎの先端が、無目３の対応する各壁部の表面に当接するように、無目３とファスナー５（５Ａ、５Ｂ、５Ｃ）は接触しているため、無目３とファスナー５（５Ａ、５Ｂ、５Ｃ）の接触面積は小さくなっている。したがって、ファスナー５（５Ａ、５Ｂ、５Ｃ）の無目３への滑動による取付が容易となる。更に、無目３とファスナー５（５Ａ、５Ｂ、５Ｃ）の接触面積が小さいため、図８を用いて説明したように無目３（３Ａ、３Ｂ、３Ｃ）間が相対移動する際には、無目３とスライド用ファスナー５Ｃとの間に作用する摩擦力が低減され、無目３に対するスライド用ファスナー５Ｃの滑らかな移動が可能となる。これにより、面材７の層間追従性能を更に高めることが可能となる。
【００６３】
また、１本の無目３に対して１枚の面材７を取り付けるに際し、１個の自重受け用固定ファスナー５Ａと、１個の自重受け用可動ファスナー５Ｂで、面材７の自重を支持するように設置されている。これにより、無目３と面材７間の熱膨張係数の相違により熱伸びが発生し、無目３と面材７に応力がかかることによる、破損を防止することができる。
【００６４】
また、無目３の内側主壁部３ｈの内側側面に形成されている凹凸部３ｉが、無目取付部材８の底板８ａの表面や、方立２等に接触するように設けられている。図８を用いて説明したように、無目３同士が横方向に相対移動する場合には、無目３に接続されている方立２は、無目３が移動する方向に傾いている。すなわち、無目３と方立２は、互いに接続されている部位において相対的に回転運動することにより、互いの成す角度が直角から変化する。このような場合において、上記の凹凸部３ｉにより、無目３と方立２等の間の接触面積が低減し、両者間の摩擦による抵抗が小さくなるため、この回転運動を容易に行うことが可能となる。したがって、面材７の層間追従性能を更に高めることが可能となる。
【００６５】
また、各ファスナー５（５Ａ、５Ｂ、５Ｃ）を無目に取り付ける際に使用する固定ナット２２や、各ファスナー５（５Ａ、５Ｂ、５Ｃ）に面材を取り付ける際に使用する面材取付ナット２４等の各ナットは、緩み止め仕様であるため、ナットを定期的にしめなおす必要がなくなり、点検などの維持、保守費用を低減することができる。
【００６６】
（実施形態の第１の変形例）
次に、図９、図１０を用いて、上記実施形態として示した面材取付構造１の第１の変形例を説明する。本第１の変形例と、面材取付構造１との差異は、無目及びファスナーの本体の断面形状が異なることである。
図９、図１０は、第１の変形例における、無目５１及びファスナー５３の接続状況を示した、斜視図と断面図である。まず、無目５１について説明する。図３に示される無目３においては、第１及び第２突出壁部３ｄ、３ｅ及び第３及び第４突出壁部３ｒ、３ｓが互いに接近する方向に延びているのに対し、図１０に示される無目５１においては、第１及び第２突出壁部５１ｄ、５１ｅ及び第３及び第４突出壁部５１ｒ、５１ｓが互いに離間する方向に延びていることが、両者の主な相違点である。
【００６７】
すなわち、無目５１は、これを長さ方向に断面視したときに、第１主壁部（主壁部）５１ａと、第１主壁部５１ａに互いに間隔を空けて一方向に延びるように設けられた第１及び第２立上り壁部５１ｂ、５１ｃと、第１及び第２立上り壁部５１ｂ、５１ｃに、互いに離間する方向に延びるように設けられた第１及び第２突出壁部５１ｄ、５１ｅを備えている。また、無目５１は、主壁部５１ａの第１及び第２立上り壁部５１ｂ、５１ｃとは反対側に設けられた第２主壁部５１ｆと、第２の主壁部５１ｆに互いに間隔を空けて一方向に延びるように設けられた第３及び第４立上り壁部５１ｐ、５１ｑと、第３及び第４立上り壁部５１ｐ、５１ｑに、互いに離間する方向に延びるように設けられた第３及び第４突出壁部５１ｒ、５１ｓを備えている。
【００６８】
無目５１は、第１及び第２主壁部５１ａ、５１ｆに加えて、外側及び内側主壁部５１ｇ、５１ｈを備えており、これらは図３に示される無目３と同様に設けられている。
第１及び第２立上り壁部５１ｂ、５１ｃは、第１主壁部５１ａの上面に、第１主壁部５１ａから上方に、垂直に立ち上がるように設けられている。第１突出壁部５１ｄは、第１立上り壁部５１ｂの外側側面の、第１主壁部５１ａの上方に、第１立上り壁部５１ｂに直交して外方に延びるように設けられている。また、第２突出壁部５１ｅは、第２立上り壁部５１ｃの内側側面の、第１主壁部５１ａの上方に、第２立上り壁部５１ｃに直交して内方に延びるように設けられている。
第１立上り壁部５１ｂの上端内側には、第１立上り壁部５１ｂに直交して内方に延びるように、第１支持壁部５１ｌが設けられている。また、第２立上り壁部５１ｃの上端外側には、第２立上り壁部５１ｃに直交して外方に延びるように、第２支持壁部５１ｍが設けられている。
【００６９】
無目５１の上側側面には、上側中間溝部５２ｂが形成されている。上側中間溝部５２ｂは、第１主壁部５１ａ、第１立上り壁部５１ｂ及び第２立上り壁部５１ｃの壁部表面により形成されており、外部へ連通する上方の開口部が、部分的に第１及び第２支持壁部５１ｌ、５１ｍによって狭められて、内部空間よりも狭く形成されている。
【００７０】
第２主壁部５１ｆの下側は、上記したような第１主壁部５１ａの上側の構造と、上下方向に対称的な構造を備えている。すなわち、第２主壁部５１ｆの下側には、第１主壁部５１ａの上側と同様に、第１及び第２立上り壁部５１ｂ、５１ｃに対応する第３及び第４立上り壁部５１ｐ、５１ｑ、第１及び第２突出壁部５１ｄ、５１ｅに対応する第３及び第４突出壁部５１ｒ、５１ｓ、第１及び第２支持壁部５１ｌ、５１ｍに対応する第３及び第４支持壁部５１ｖ、５１ｗ等が、それぞれ対応する上側の壁部と対称的に設けられている。
【００７１】
無目５１の下側側面には、上側中間溝部５２ｂと同様に、下側中間溝部５２ｆが形成されている。
【００７２】
無目５１においては、図３に示される無目３と同様に、上側及び下側無目固定溝部（無目固定溝部）５２ｄ、５２ｈが形成されている。
【００７３】
次に、ファスナー５３について説明する。ファスナー５３は、上記実施形態と同様に、自重受け用固定ファスナー５３Ａ、自重受け用可動ファスナー、及び、スライド用ファスナーを備えている。自重受け用固定ファスナー５３Ａは、図４、図５に示されるファスナー５と同様に、本体５４、固定ボルト２１、固定ナット２２、面材取付用のボルト２３・ナット２４、ワッシャ２８、２９を備えている。図１０において、本体５４は、複数の点を付した部分である。ファスナー５３は、図４、図５に示されるファスナー５とは、この本体５４の形状、より詳細には、以下に説明する無目取付壁部５４ａより下の部分の形状のみが異なっている。
【００７４】
自重受け用固定ファスナー５３Ａの本体５４は、これを無目５１の長さ方向に断面視したときに、無目取付壁部５４ａと、面材取付壁部５４ｂを備えている。面材取付壁部５４ｂは、ファスナー５と同様に、無目取付壁部５４ａの一側辺に、無目取付壁部５４ａと垂直になるように、接合されている。また、ファスナー５と同様に、無目取付壁部５４ａは、その下面が無目５１の第１または第２主壁部５１ａ、５１ｆ側に当接させるように、無目５１に設置されており、また、面材７は、面材取付壁部５４ｂの外側側面に取り付けられている。
本体５４は、図４、図５に示されるファスナー５と同様に、第１及び第２延出壁部５４ｃ、５４ｄを備えている。第１延出壁部５４ｃが第２延出壁部５４ｄの外側に位置するように、第１及び第２延出壁部５４ｃ、５４ｄは、互いに間隔を空けて設けられている。第１及び第２延出壁部５４ｃ、５４ｄは、無目取付壁部５４ａの下面から、無目５１の方向、すなわち下方に延びるように、無目取付壁部５４ａに対して垂直に設けられている。
本体５４は、図４、図５に示されるファスナー５と同様に、第１及び第２係合壁部５４ｅ、５４ｆを備えているが、これらの延出する方向が、ファスナー５とは異なっている。すなわち、第１係合壁部５４ｅは、第１延出壁部５４ｃの下端辺から内方に延びるように、第１延出壁部５４ｃに対して垂直に設けられている。また、第２係合壁部５４ｆは、第２延出壁部５４ｄの下端辺から外方に延びるように、第２延出壁部５４ｄに対して垂直に設けられている。これにより、第１及び第２係合壁部５４ｅ、５４ｆは、第１及び第２延出壁部５４ｃ、５４ｄに、互いに接近する方向に延びるように設けられている。
【００７５】
図１０に示されるように、第１係合壁部５４ｅの上面が第１突出壁部５１ｄの下面に面して、なおかつ、第２係合壁部５４ｆの上面が第２突出壁部５１ｅの下面に面して位置して係合するように、自重受け用固定ファスナー５３Ａは無目５１に取り付けられている。無目５１の第１及び第２突出壁部５１ｄ、５１ｅは、互いに離間する方向に延びるように設けられているが、これに対応して、自重受け用固定ファスナー５３Ａの第１及び第２延出壁部５４ｃ、５４ｄの各々が第１突出壁部５１ｄの外側と第２突出壁部５１ｅの内側から第１及び第２突出壁部５１ｄ、５１ｅを挟み込むように下方に延在し、第１及び第２延出壁部５４ｃ、５４ｄの下端から第１及び第２係合壁部５４ｅ、５４ｆが互いに接近する方向に延びて第１及び第２突出壁部５１ｄ、５１ｅに係合するように設けられていることにより、自重受け用固定ファスナー５３Ａの係合による無目５１への取付が可能となっている。
【００７６】
自重受け用固定ファスナー５３Ａの、第１及び第２延出壁部５４ｃ、５４ｄ、第１及び第２係合壁部５４ｅ、５４ｆの各表面には、図４に示されるファスナー５における第１から第５の凸条２０ｊ、２０ｋ、２０ｌ、２０ｍ、２０ｎと同様に、各所に図示しない凸条が設けられており、凸条の先が無目５１に接触することにより、自重受け用固定ファスナー５３Ａは無目５１に取り付けられている。また、本体５４は、図５に示されるファスナー５の本体２０と同様に、雄ネジ部２１ｂが無目取付壁部５４ａに設けられたボルト孔５４ｉを挿通し、頭部２１ａが上側中間溝部５２ｂ内に位置して第１及び第２支持壁部５１ｌ、５１ｍの下面に係合するように位置せしめられた固定ボルト２１、及び固定ボルト２１の雄ネジ部２１ｂに螺着された、緩み止め仕様の固定ナット２２によって、無目５１に取り付けられている。
【００７７】
本第１の変形例における自重受け用可動ファスナー、及び、スライド用ファスナーは、上記実施形態と同様に、上記した自重受け用固定ファスナー５３Ａと異なっている。すなわち、自重受け用可動ファスナーとスライド用ファスナーは、固定ボルト２１、固定ナット２２、及びワッシャ２８を備えておらず、また、これらの本体は、自重受け用固定ファスナー５３Ａの本体５４のような、ボルト孔５４ｉを備えていない。
【００７８】
上記のように、複数のファスナー５３の各々は、第１及び第２係合壁部５４ｅ、５４ｆの各々が、無目５１の第１及び第２突出壁部５１ｄ、５１ｅの第１主壁部５１ａ側の面、すなわち下面に係合しており、また、自重受け用固定ファスナー５３Ａにおいては、固定ボルト２１の頭部２１ａが、第１及び第２支持壁部５１ｌ、５１ｍの下面に係合している。これにより、ファスナー５３に対して無目５１とは反対の方向に引き抜く力が作用しても、ファスナー５３が無目５１から分離しない構造となっている。
【００７９】
上記のように、第２主壁部５１ｆの下側は、第１主壁部５１ａの上側の構造と、上下方向に対称的な構造を備えているため、図９に示されるように、第１主壁部５１ａの上側と同様に、第２主壁部５１ｆの下側にもファスナー５３を設置することが可能である。
【００８０】
面材７は、図５に示されるファスナー５と同様に、ボルト２３、ナット２４、ワッシャ２９によって、面材取付壁部５４ｂに固定されている。また、無目５１の方立２への取付は、上側及び下側無目固定溝部５２ｄ、５２ｈを介して、上記実施形態において図５、図７に示された無目取付部材８及びボルト１０、ナット１２によって、上記実施形態と同様に行うことが可能である。
【００８１】
本第１の変形例が、上記実施形態と同様の効果を奏することはいうまでもない。
【００８２】
（実施形態の第２の変形例）
次に、図１１、図１２を用いて、上記実施形態として示した面材取付構造１の第２の変形例を説明する。本第２の変形例と、面材取付構造１との差異は、無目及びファスナーの本体の断面形状が異なることである。
図１１、図１２は、第２の変形例における、無目６１及びファスナー６３の接続状況を示した、斜視図と断面図である。まず、無目６１について説明する。図３に示される無目３においては、第１及び第２突出壁部３ｄ、３ｅ及び第３及び第４突出壁部３ｒ、３ｓが互いに接近する方向に延びているのに対し、図１２に示される無目６１においては、第１及び第２突出壁部６１ｄ、６１ｅ及び第３及び第４突出壁部６１ｒ、６１ｓが互いに離間する方向に延びていること、及び、第１及び第２突出壁部６１ｄ、６１ｅや第３及び第４突出壁部６１ｒ、６１ｓが、それぞれ共通する立上り壁部６１ｂ、６１ｐに設けられていることが、両者の主な相違点である。
【００８３】
すなわち、無目６１は、これを長さ方向に断面視したときに、第１主壁部（主壁部）６１ａと、第１主壁部６１ａに垂直に設けられた立上り壁部６１ｂと、立上り壁部６１ｂに、互いに離間する方向に延びるように設けられた第１及び第２突出壁部６１ｄ、６１ｅを備えている。また、無目６１は、主壁部６１ａの立上り壁部６１ｂとは反対側に設けられた第２主壁部６１ｆと、第２の主壁部６１ｆに垂直に設けられた下側立上り壁部６１ｐと、下側立上り壁部６１ｐに、互いに離間する方向に延びるように設けられた第３及び第４突出壁部６１ｒ、６１ｓを備えている。
【００８４】
無目６１は、第１及び第２主壁部６１ａ、６１ｆに加えて、外側及び内側主壁部６１ｇ、６１ｈを備えており、これらは図３に示される無目３と同様に設けられている。
立上り壁部６１ｂは、第１主壁部６１ａの上面に、第１主壁部６１ａから上方に、垂直に立ち上がるように設けられている。第１突出壁部６１ｄは、立上り壁部６１ｂの外側側面の、第１主壁部６１ａの上方に、立上り壁部６１ｂに直交して外方に延びるように設けられている。また、第２突出壁部６１ｅは、立上り壁部６１ｂの内側側面の、第１主壁部６１ａの上方に、立上り壁部６１ｂに直交して内方に延びるように設けられている。
第１及び第２突出壁部６１ｄ、６１ｅの各々の外側端部及び内側端部には、第１及び第２先端立上り壁部６１ｉ、６１ｌが、第１及び第２突出壁部６１ｄ、６１ｅから上方に、垂直に立ち上がるように設けられている。第１先端立上り壁部６１ｉの上端内側には、第１先端立上り壁部６１ｉに直交して内方に延びるように、第１支持壁部６１ｍが設けられている。また、第２先端立上り壁部６１ｌの上端外側には、第２先端立上り壁部６１ｌに直交して外方に延びるように、第２支持壁部６１ｎが設けられている。
立上り壁部６１ｂの外方及び内方には、それぞれ、外側及び内側立上り壁部６１ｊ、６１ｋが、第１主壁部６１ａから上方に、垂直に立ち上がるように設けられている。
【００８５】
無目３の上側側面には、上側中間溝部６２ｂが形成されている。上側中間溝部６２ｂは、第１及び第２突出壁部６１ｄ、６１ｅ、及び第１及び第２先端立上り壁部６１ｉ、６１ｌの壁部表面により形成されており、外部へ連通する上方の開口部が、部分的に第１及び第２支持壁部６１ｍ、６１ｎによって狭められて、内部空間よりも狭く形成されている。
【００８６】
第２主壁部６１ｆの下側は、上記したような第１主壁部６１ａの上側の構造と、上下方向に対称的な構造を備えている。すなわち、第２主壁部６１ｆの下側には、第１主壁部６１ａの上側と同様に、立上り壁部６１ｂに対応する下側立上り壁部６１ｐ、第１及び第２突出壁部６１ｄ、６１ｅに対応する第３及び第４突出壁部６１ｒ、６１ｓ、第１及び第２先端立上り壁部６１ｉ、６１ｌに対応する第３及び第４先端立上り壁部６１ｔ、６１ｕ、第１及び第２支持壁部６１ｍ、６１ｎに対応する第３及び第４支持壁部６１ｖ、６１ｗ等が、それぞれ対応する上側の壁部と対称的に設けられている。
【００８７】
無目６１の下側側面には、上側中間溝部６２ｂと同様に、下側中間溝部６２ｆが形成されている。
【００８８】
無目６１においては、図３に示される無目３と同様に、上側及び下側無目固定溝部（無目固定溝部）６２ｄ、６２ｈが形成されている。
【００８９】
次に、ファスナー６３について説明する。ファスナー６３は、上記実施形態と同様に、自重受け用固定ファスナー６３Ａ、自重受け用可動ファスナー、及び、スライド用ファスナーを備えている。自重受け用固定ファスナー６３Ａは、図４、図５に示されるファスナー５と同様に、本体６４、固定ボルト２１、固定ナット２２、面材取付用のボルト２３・ナット２４、ワッシャ２８、２９を備えている。図１０において、本体６４は、複数の点を付した部分である。ファスナー６３は、図４、図５に示されるファスナー５とは、この本体６４の形状、より詳細には、以下に説明する無目取付壁部６４ａより下の部分の形状が異なっている。
【００９０】
自重受け用固定ファスナー６３Ａの本体６４は、これを無目６１の長さ方向に断面視したときに、無目取付壁部６４ａと、面材取付壁部６４ｂを備えている。面材取付壁部６４ｂは、ファスナー５と同様に、無目取付壁部６４ａの一側辺に、無目取付壁部６４ａと垂直になるように、接合されている。また、ファスナー５と同様に、無目取付壁部６４ａは、その下面が無目６１の第１または第２主壁部６１ａ、６１ｆ側に当接させるように、無目６１に設置されており、また、面材７は、面材取付壁部６４ｂの外側側面に取り付けられている。
【００９１】
本体６４は、図４に示されるファスナー５の本体２０と同様に、第１及び第２延出壁部６４ｃ、６４ｄを備えている。第１延出壁部６４ｃが第２延出壁部６４ｄの外側に位置するように、第１及び第２延出壁部６４ｃ、６４ｄは、互いに間隔を空けて設けられている。第１及び第２延出壁部６４ｃ、６４ｄは、無目取付壁部６４ａの下面から、無目６１の方向、すなわち下方に延びるように、無目取付壁部６４ａに対して垂直に設けられている。
本体６４は、図４に示されるファスナー５の本体２０と同様に、第１及び第２係合壁部６４ｅ、６４ｆを備えているが、これらの延出する方向が、ファスナー５とは異なっている。すなわち、第１係合壁部６４ｅは、第１延出壁部６４ｃの下端辺から内方に延びるように、第１延出壁部６４ｃに対して垂直に設けられている。また、第２係合壁部６４ｆは、第２延出壁部６４ｄの下端辺から外方に延びるように、第２延出壁部６４ｄに対して垂直に設けられている。これにより、第１及び第２係合壁部６４ｅ、６４ｆは、上記した第１の変形例におけるファスナー５３の本体５４と同様に、第１及び第２延出壁部６４ｃ、６４ｄに、互いに接近する方向に延びるように設けられている。
【００９２】
図１２に示されるように、第１係合壁部６４ｅの上面が第１突出壁部６１ｄの下面に面して、なおかつ、第２係合壁部６４ｆの上面が第２突出壁部６１ｅの下面に面して位置して係合するように、自重受け用固定ファスナー６３Ａは無目６１に取り付けられている。無目６１の第１及び第２突出壁部６１ｄ、６１ｅは、互いに離間する方向に延びるように設けられているが、これに対応して、自重受け用固定ファスナー６３Ａの第１及び第２延出壁部６４ｃ、６４ｄの各々が第１突出壁部６１ｄの外側と第２突出壁部６１ｅの内側から第１及び第２突出壁部６１ｄ、６１ｅを挟み込むように下方に延在し、第１及び第２延出壁部６４ｃ、６４ｄの下端から第１及び第２係合壁部６４ｅ、６４ｆが互いに接近する方向に延びて第１及び第２突出壁部６１ｄ、６１ｅに係合するように設けられていることにより、自重受け用固定ファスナー６３Ａの係合による無目６１への取付が可能となっている。
【００９３】
自重受け用固定ファスナー６３Ａの、第１及び第２延出壁部６４ｃ、６４ｄ、第１及び第２係合壁部６４ｅ、６４ｆの各表面には、図４に示されるファスナー５における第１から第５の凸条２０ｊ、２０ｋ、２０ｌ、２０ｍ、２０ｎと同様に、各所に図示しない凸条が設けられており、凸条の先が無目６１に接触することにより、自重受け用固定ファスナー６３Ａは無目６１に取り付けられている。また、本体６４は、図５に示されるファスナー５の本体２０と同様に、雄ネジ部２１ｂが無目取付壁部６４ａに設けられたボルト孔６４ｉを挿通し、頭部２１ａが上側中間溝部６２ｂ内に位置して第１及び第２支持壁部６１ｍ、６１ｎの下面に係合するように位置せしめられた固定ボルト２１、及び固定ボルト２１の雄ネジ部２１ｂに螺着された、緩み止め仕様の固定ナット２２によって、無目６１に取り付けられている。
【００９４】
本第２の変形例における自重受け用可動ファスナー、及び、スライド用ファスナーは、上記実施形態と同様に、上記した自重受け用固定ファスナー６３Ａと異なっている。すなわち、自重受け用可動ファスナーとスライド用ファスナーは、固定ボルト２１、固定ナット２２、及びワッシャ２８を備えておらず、また、これらの本体は、自重受け用固定ファスナー６３Ａの本体６４のような、ボルト孔６４ｉを備えていない。
【００９５】
上記のように、複数のファスナー６３の各々は、第１及び第２係合壁部６４ｅ、６４ｆの各々が、無目６１の第１及び第２突出壁部６１ｄ、６１ｅの第１主壁部６１ａ側の面、すなわち下面に係合しており、また、自重受け用固定ファスナー６３Ａにおいては、固定ボルト２１の頭部２１ａが、第１及び第２支持壁部６１ｍ、６１ｎの下面に係合している。これにより、ファスナー６３に対して無目６１とは反対の方向に引き抜く力が作用しても、ファスナー６３が無目６１から分離しない構造となっている。
【００９６】
上記のように、第２主壁部６１ｆの下側は、第１主壁部６１ａの上側の構造と、上下方向に対称的な構造を備えているため、図１１に示されるように、第１主壁部６１ａの上側と同様に、第２主壁部６１ｆの下側にもファスナー６３を設置することが可能である。
【００９７】
面材７は、図５に示されるファスナー５と同様に、ボルト２３、ナット２４、ワッシャ２９によって、面材取付壁部６４ｂに固定されている。また、無目６１の方立２への取付は、上側及び下側無目固定溝部６２ｄ、６２ｈを介して、上記実施形態において図５、図７に示された無目取付部材８及びボルト１０、ナット１２によって、上記実施形態と同様に行うことが可能である。
【００９８】
本第２の変形例が、上記実施形態と同様の効果を奏することはいうまでもない。
【００９９】
（実施形態の第３の変形例）
次に、図１３を用いて、上記実施形態として示した面材取付構造１の第３の変形例を説明する。本第３の変形例においては、図１に示される面材取付構造１とは異なり、方立７０が、面材７２に対して垂直な方向に湾曲する曲面形状を有している。
【０１００】
図１に示した実施形態における、面材取付構造１においては、方立２を含む縦方向に延在する部材の断面形状に制限はないため、方立２を曲げやすい断面形状とすることで、方立２が、面材７に対して垂直な方向に湾曲する曲面形状を有するように構成することが可能となる。この場合には、本第１の変形例においては、方立７０が、面材７２に対応した湾曲する曲面形状を有しており、それにより、面材７２の形状や割り付けの自由度を更に高めることができる。
【０１０１】
本第３の変形例が、上記実施形態と同様の効果を奏することはいうまでもない。
【０１０２】
（実施形態の第４の変形例）
次に、図１４を用いて、上記実施形態として示した面材取付構造１の第４の変形例を説明する。本第４の変形例と、面材取付構造１との差異は、無目８０の断面形状が異なることである。
【０１０３】
無目８０は、これを長さ方向に断面視したときに、図３に示される無目３と同様に、第１及び第２主壁部８０ａ、８０ｂ、外側及び内側主壁部８０ｃ、８０ｄを備えている。無目８０の、第１主壁部８０ａの上側及び第２主壁部８０ｂの下側の構造は、無目３と同じである。すなわち、無目８０は、第１主壁部８０ａの上側においては、無目３と同様に、無目３の第１及び第２立上り壁部３ｂ、３ｃ、第１及び第２突出壁部３ｄ、３ｅ、第１及び第２中間立上り壁部３ｊ、３ｋ、第１及び第２支持壁部３ｌ、３ｍ、上側側壁部３ｎ、及び、上側突出壁部３ｏに相当する各壁部を備えている。また、無目８０は、第２主壁部８０ｂの下側においても、無目３と同様に、無目３の第３及び第４立上り壁部３ｐ、３ｑ、第３及び第４突出壁部３ｒ、３ｓ、第３及び第４中間立上り壁部３ｔ、３ｕ、第３及び第４支持壁部３ｖ、３ｗ、下側側壁部３ｘ、及び、下側突出壁部３ｙに相当する各壁部を備えている。
無目８０は、無目３が備える上記の各壁部に加え、外側主壁部８０ｃの外側側面にも、第５及び第６立上り壁部８０ｅ、８０ｆ、第５及び第６突出壁部８０ｇ、８０ｈ、第５及び第６中間立上り壁部８０ｉ、８０ｊ、及び、第５及び第６支持壁部８０ｋ、８０ｌを備えている。外側主壁部８０ｃの外側側面におけるこれら壁部の構成は、無目３の上側側壁部３ｎ及び上側突出壁部３ｏに対応する壁部を有さない点以外においては、第１主壁部８０ａ上の対応する壁部の構成を、図１３に示される対角線Ｌを基準に反転させた構成と略同様である。これにより、外側主壁部８０ｃの外側側面には、第５係合溝部８１ｉ、外側中間溝部８１ｊ、及び、第６係合溝部８１ｋが形成されている。
【０１０４】
上記の構造を備えることで、無目８０は、上面、下面に加え、外側側面に対しても、上面、下面と同様な要領でファスナー５を取り付けることが可能である。これにより、設計の自由度を更に向上させることができる。
【０１０５】
本第４の変形例が、上記実施形態と同様の効果を奏することはいうまでもない。
【０１０６】
なお、本発明の建築構造物の増築方法は、図面を参照して説明した上述の実施形態に限定されるものではなく、その技術的範囲において他の様々な変形例が考えられる。
例えば、無目の主壁部から上下に突出する立上り壁部等の壁部は、無目とファスナーが係合するという構成を有する限り、必ずしも垂直に主壁部に接続されている必要はなく、主壁部に対して斜めに傾くように接続されていてもよい。
また、上記の実施形態及び変形例において、使用される面材は、アルミパネルのほか、ガラス、ＡＬＣ、押出成形セメント板、石などであっても構わない。また、無目に取り付けられるものは面材に限られず、例えば、立体形状を有する装飾などを、取り付けてもよい。
これ以外にも、本発明の主旨を逸脱しない限り、上記実施の形態で挙げた構成を取捨選択したり、他の構成に適宜変更したりすることが可能である。
例えば、無目の上面が図１２に示される構成を備え、下面が図３に示される構成を備える等、上面と下面で異なる形状を備えるように形成しても構わない。
【符号の説明】
【０１０７】
１              面材取付構造
２              方立
３              無目
３ａ            第１主壁部（主壁部）
３ｂ            第１立上り壁部
３ｃ            第２立上り壁部
３ｄ            第１突出壁部
３ｅ            第２突出壁部
４ｄ            上側無目固定溝部（無目固定溝部）
４ｈ            下側無目固定溝部（無目固定溝部）
５              ファスナー
７              面材
８              無目取付部材
１０            ボルト
１０ａ          頭部
２０            本体
２０ａ          無目取付壁部
２０ｂ          面材取付壁部
２０ｃ          第１延出壁部
２０ｄ          第２延出壁部
２０ｅ          第１係合壁部
２０ｆ          第２係合壁部
２０ｇ          凹凸部
２０ｈ          長孔
２３            ボルト
２４            ナット
２９            ワッシャ
２９ａ          係合凹凸部
２９ｂ          ボルト孔
５１            無目
５１ａ          第１主壁部（主壁部）
５１ｂ          第１立上り壁部
５１ｃ          第２立上り壁部
５１ｄ          第１突出壁部
５１ｅ          第２突出壁部
５２ｄ          上側無目固定溝部（無目固定溝部）
５２ｈ          下側無目固定溝部（無目固定溝部）
５３            ファスナー
５４            本体
５４ａ          無目取付壁部
５４ｂ          面材取付壁部
５４ｃ          第１延出壁部
５４ｄ          第２延出壁部
５４ｅ          第１係合壁部
５４ｆ          第２係合壁部
６１            無目
６１ａ          第１主壁部（主壁部）
６１ｂ          立上り壁部
６１ｄ          第１突出壁部
６１ｅ          第２突出壁部
６２ｄ          上側無目固定溝部（無目固定溝部）
６２ｈ          下側無目固定溝部（無目固定溝部）
６３            ファスナー
６４            本体
６４ａ          無目取付壁部
６４ｂ          面材取付壁部
６４ｃ          第１延出壁部
６４ｄ          第２延出壁部
６４ｅ          第１係合壁部
６４ｆ          第２係合壁部
７０            方立
【要約】
【課題】仕上面材の形状や割り付けの自由度が高い面材取付構造を提供する。
【解決手段】構造躯体に設けられた無目３と、該無目３に複数のファスナー５を介して取り付けられた面材７を備え、前記無目３は、これを断面視したときに、主壁部３ａと、該主壁部３ａに互いに間隔を空けて一方向に延びるように設けられた第１及び第２の立上り壁部３ｂ、３ｃと、該第１及び第２の立上り壁部３ｂ、３ｃに、互いに接近する、または離間する方向に延びるように設けられた第１及び第２の突出壁部３ｄ、３ｅを備えており、前記複数のファスナー５の各々は、前記無目３の主壁部３ａ側に当接させる無目取付壁部２０ａと、該無目取付壁部２０ａに互いに間隔を空けて前記無目３の方向に延びるように設けられた第１及び第２の延出壁部２０ｃ、２０ｄと、該第１及び第２の延出壁部２０ｃ、２０ｄに、前記第１及び第２の突出壁部３ｄ、３ｅが互いに接近する場合には互いに離間し、前記第１及び第２の突出壁部３ｄ、３ｅが互いに離間する場合には互いに接近する方向に延びるように設けられた第１及び第２の係合壁部２０ｅ、２０ｆを備えており、前記複数のファスナー５の各々は、前記第１及び第２の係合壁部２０ｅ、２０ｆの各々が、前記無目３の前記第１及び第２の突出壁部３ｄ、３ｅの前記主壁部３ａ側の面に係合して、前記無目３に対し前記無目３の長さ方向に相対的に移動可能である、面材取付構造１を提供する。
【選択図】図５【図１】
0005998301.tif 000002
【図２】
0005998301.tif 000003
【図３】
0005998301.tif 000004
【図４】
0005998301.tif 000005
【図５】
0005998301.tif 000006
【図６】
0005998301.tif 000007
【図７】
0005998301.tif 000008
【図８】
0005998301.tif 000009
【図９】
0005998301.tif 000010
【図１０】
0005998301.tif 000011
【図１１】
0005998301.tif 000012
【図１２】
0005998301.tif 000013
【図１３】
0005998301.tif 000014
【図１４】
0005998301.tif 000015
【図１５】
0005998301.tif 000016
【図１６】
0005998301.tif 000017